(57)【特許請求の範囲】
【請求項１】
方法において、
第１の時間期間の間に、発光型ディスプレイに対して新たな入力が生成されなかった場合に、前記発光型ディスプレイにおける第１の静的モードを検出することと、
前記第１の静的モードを検出することに応答して、前記発光型ディスプレイの複数の発光型素子に対して第１の調整された信号に入力信号を非線形にマッピングすることであって、
当該マッピングを、少なくとも、
ゼロの大きさを持つ前記第１の調整された信号に、第１のしきい値よりも小さい大きさを持つ入力信号をマッピングし、
第１のマッピングに基づいて、前記第１の調整された信号に、前記第１のしきい値と当該第１のしきい値よりも大きい第２のしきい値との間の大きさを持つ入力信号をマッピングし、
第２のマッピングに基づいて、前記第１の調整された信号に、前記第２のしきい値よりも大きい大きさを持つ入力信号をマッピングする
ことによって行うことと、
前記第１の静的モードを検出することに応答して、前記複数の発光型素子の出力を選択的に調光するために、前記第２のしきい値よりも大きい大きさを持つ入力信号に関連する前記複数の発光型素子のうちの複数の発光型素子が、前記第１のしきい値と前記第２のしきい値との間の大きさを持つ入力信号に関連する前記複数の発光型素子のうちの複数の発光型素子ほど調光されないように、前記第１の調整された信号を適用することと、
前記第１の時間期間よりも長い第２の時間期間の間に、前記発光型ディスプレイに対して新たな入力が生成されなかった場合に、前記発光型ディスプレイにおける第２の静的モードを検出することと、
前記第２の静的モードを検出することに応答して、前記発光型ディスプレイの複数の発光型素子に対して第２の調整された信号に前記入力信号を非線形に再マッピングすることであって、
ゼロの大きさを持つ前記第２の調整された信号に、前記第１のしきい値よりも大きい第３のしきい値よりも小さい大きさを持つ入力信号をマッピングし、
第３のマッピングに基づいて、前記第２の調整された信号に、前記第３のしきい値と第４のしきい値との間の大きさを持つ入力信号をマッピングし、
第４のマッピングに基づいて、前記第２の調整された信号に、前記第４のしきい値よりも大きい大きさを持つ入力信号をマッピングする
ことを含む再マッピングを行うことと、
前記第２の静的モードを検出することに応答して、前記複数の発光型素子の出力を選択的に調光するために、前記第４のしきい値よりも大きい大きさを持つ入力信号に関連する前記複数の発光型素子のうちの複数の発光型素子が、前記第３のしきい値と前記第４のしきい値との間の大きさを持つ入力信号に関連する前記複数の発光型素子のうちの複数の発光型素子ほど調光されないように、前記第２の調整された信号を適用することと、
前記第２の時間期間よりも長い最終の時間期間の間に、前記発光型ディスプレイに対して新たな入力が生成されなかった場合に、前記発光型ディスプレイにおける最終の静的モードを検出することと、
前記最終の静的モードを検出することに応答して、ゼロの大きさを持つ最終の調整された信号に前記入力信号をマッピングすることと、
前記最終の静的モードを検出することに応答して、前記複数の発光型素子の出力を選択的に調光するために、前記最終の調整された信号を適用することと
を含む方法。
【請求項２】
前記第１の静的モードを検出することは、グラフィックプロセッサが、前記第１の時間期間の間に何も新たな入力信号を生成しなかったことを識別することを含む請求項１記載の方法。
【請求項３】
前記第１の静的モードを検出することは、ビデオデコーダが前記第１の時間期間の間に何も新たな入力信号を生成しなかったことを識別することを含む請求項１記載の方法。
【請求項４】
前記第１の静的モードを検出することは、ビデオデコーダおよびグラフィックプロセッサが前記第１の時間期間の間に何も新たな入力信号を生成しなかったことを識別することを含む請求項１記載の方法。
【請求項５】
前記第１のマッピングは、第１の線形スロープを規定する第１の線形マッピングを含み、前記第２のマッピングは、前記第１の線形マッピングの前記第１の線形スロープとは異なる第２の線形スロープを規定する第２の線形マッピングを含む請求項１記載の方法。
【請求項６】
前記第１の線形スロープおよび前記第２の線形スロープは、プログラム可能な変数である請求項５記載の方法。
【請求項７】
前記発光型ディスプレイの前記静的モードを検出することに応答して、前記発光型ディスプレイの通常動作モードから前記発光型ディスプレイの第１の調光モードに変更させることをさらに含み、前記通常動作モードでは、前記入力信号は前記複数の発光型素子を駆動するために適用され、前記調光モードでは、前記入力信号は前記調整された信号にマッピングされ、前記調整された信号は前記複数の発光型素子に対して駆動するために適用される請求項１記載の方法。
【請求項８】
装置において、
複数の発光型素子を含む発光型ディスプレイと、
前記複数の発光型素子を駆動するように構成されているディスプレイ制御装置と、
調光ユニットとを具備し、
前記調光ユニットは、
第１の時間期間の間に、前記発光型ディスプレイに対して新たな入力が生成されなかった場合に、前記発光型ディスプレイにおける第１の静的モードを検出し、
前記第１の静的モードを検出することに応答して、前記発光型ディスプレイの前記複数の発光型素子に対して第１の調整された信号に入力信号を非線形にマッピングし、
当該マッピングを、少なくとも、
ゼロの大きさを持つ前記第１の調整された信号に、第１のしきい値よりも小さい大きさを持つ入力信号をマッピングし、
第１のマッピングに基づいて、前記第１の調整された信号に、前記第１のしきい値と当該第１のしきい値よりも大きい第２のしきい値との間の大きさを持つ入力信号をマッピングし、
第２のマッピングに基づいて、前記第１の調整された信号に、前記第２のしきい値よりも大きい大きさを持つ入力信号をマッピングする
ことによって行い、
前記第１の静的モードを検出することに応答して、前記複数の発光型素子の出力を選択的に調光するために、前記第２のしきい値よりも大きい大きさを持つ入力信号に関連する前記複数の発光型素子のうちの複数の発光型素子が、前記第１のしきい値と前記第２のしきい値との間の大きさを持つ入力信号に関連する前記複数の発光型素子のうちの複数の発光型素子ほど調光されないように、前記第１の調整された信号を適用し、
前記第１の時間期間よりも長い第２の時間期間の間に、前記発光型ディスプレイに対して新たな入力が生成されなかった場合に、前記発光型ディスプレイにおける第２の静的モードを検出し、
前記第２の静的モードを検出することに応答して、前記発光型ディスプレイの複数の発光型素子に対して第２の調整された信号に前記入力信号を非線形に再マッピングし、
当該再マッピングを、少なくとも、
ゼロの大きさを持つ前記第２の調整された信号に、前記第１のしきい値よりも大きい第３のしきい値よりも小さい大きさを持つ入力信号をマッピングし、
第３のマッピングに基づいて、前記第２の調整された信号に、前記第３のしきい値と第４のしきい値との間の大きさを持つ入力信号をマッピングし、
第４のマッピングに基づいて、前記第２の調整された信号に、前記第４のしきい値よりも大きい大きさを持つ入力信号をマッピングする
ことによって行い、
前記第２の静的モードを検出することに応答して、前記複数の発光型素子の出力を選択的に調光するために、前記第４のしきい値よりも大きい大きさを持つ入力信号に関連する前記複数の発光型素子のうちの複数の発光型素子が、前記第３のしきい値と前記第４のしきい値との間の大きさを持つ入力信号に関連する前記複数の発光型素子のうちの複数の発光型素子ほど調光されないように、前記第２の調整された信号を適用し、
前記第２の時間期間よりも長い最終の時間期間の間に、前記発光型ディスプレイに対して新たな入力が生成されなかった場合に、前記発光型ディスプレイにおける最終の静的モードを検出し、
前記最終の静的モードを検出することに応答して、ゼロの大きさを持つ最終の調整された信号に前記入力信号をマッピングし、
前記最終の静的モードを検出することに応答して、前記複数の発光型素子の出力を選択的に調光するために、前記最終の調整された信号を適用する
ように構成されている装置。
【請求項９】
前記装置は、前記入力信号を生成するように構成されているグラフィックプロセッサをさらに具備し、
前記第１の静的モードを検出するに際し、前記調光ユニットは、前記グラフィックプロセッサが、前記第１の時間期間の間に何も新たな入力信号を生成しなかったことを識別するように構成されている請求項８記載の装置。
【請求項１０】
前記装置は、前記入力信号を生成するように構成されているビデオデコーダをさらに具備し、
前記第１の静的モードを検出するに際し、前記調光ユニットは、前記ビデオデコーダが前記第１の時間期間の間に何も新たな入力信号を生成しなかったことを識別するように構成されている請求項８記載の装置。
【請求項１１】
前記装置は、それぞれ前記入力信号を生成するように構成されているグラフィックプロセッサおよびビデオデコーダをさらに具備し、
前記第１の静的モードを検出するに際し、前記調光ユニットは、前記グラフィックプロセッサおよび前記ビデオデコーダが前記第１の時間期間の間に何も新たな入力信号を生成しなかったことを識別するように構成されている請求項８記載の装置。
【請求項１２】
前記第１のマッピングは、第１の線形スロープを規定する第１の線形マッピングを含み、前記第２のマッピングは、前記第１の線形マッピングの前記第１の線形スロープとは異なる第２の線形スロープを規定する第２の線形マッピングを含む請求項８記載の装置。
【請求項１３】
前記第１の線形スロープおよび前記第２の線形スロープは、プログラム可能な変数である請求項１２記載の装置。
【請求項１４】
前記調光ユニットは、集積回路およびマイクロプロセッサのうちの１つを備える請求項８記載の装置。
【請求項１５】
前記装置は、前記発光型ディスプレイを備えるハンドヘルドデバイスを含む請求項８記載の装置。
【請求項１６】
デバイスにおいて、
第１の時間期間の間に、発光型ディスプレイに対して新たな入力が生成されなかった場合に、前記発光型ディスプレイにおける第１の静的モードを検出する手段と、
前記第１の静的モードを検出することに応答して、前記発光型ディスプレイの複数の発光型素子に対して第１の調整された信号に入力信号を非線形にマッピングする手段であって、
ゼロの大きさを持つ前記第１の調整された信号に、第１のしきい値よりも小さい大きさを持つ入力信号をマッピングする手段と、
第１のマッピングに基づいて、前記第１の調整された信号に、前記第１のしきい値と当該第１のしきい値よりも大きい第２のしきい値との間の大きさを持つ入力信号をマッピングする手段と、
第２のマッピングに基づいて、前記第１の調整された信号に、前記第２のしきい値よりも大きい大きさを持つ入力信号をマッピングする手段と
を含む、前記第１の調整された信号に入力信号を非線形にマッピングする手段と、
前記第１の静的モードを検出することに応答して、前記複数の発光型素子の出力を選択的に調光するために、前記第２のしきい値よりも大きい大きさを持つ入力信号に関連する前記複数の発光型素子のうちの複数の発光型素子が、前記第１のしきい値と前記第２のしきい値との間の大きさを持つ入力信号に関連する前記複数の発光型素子のうちの複数の発光型素子ほど調光されないように、前記第１の調整された信号を適用する手段と、
前記第１の時間期間よりも長い第２の時間期間の間に、前記発光型ディスプレイに対して新たな入力が生成されなかった場合に、前記発光型ディスプレイにおける第２の静的モードを検出する手段と、
前記第２の静的モードを検出することに応答して、前記発光型ディスプレイの複数の発光型素子に対して第２の調整された信号に前記入力信号を非線形に再マッピングする手段であって、
ゼロの大きさを持つ前記第２の調整された信号に、前記第１のしきい値よりも大きい第３のしきい値よりも小さい大きさを持つ入力信号をマッピングする手段と、
第３のマッピングに基づいて、前記第２の調整された信号に、前記第３のしきい値と第４のしきい値との間の大きさを持つ入力信号をマッピングする手段と、
第４のマッピングに基づいて、前記第２の調整された信号に、前記第４のしきい値よりも大きい大きさを持つ入力信号をマッピングする手段と
を含む、前記第２の調整された信号に前記入力信号を非線形に再マッピングする手段と、
前記第２の静的モードを検出することに応答して、前記複数の発光型素子の出力を選択的に調光するために、前記第４のしきい値よりも大きい大きさを持つ入力信号に関連する前記複数の発光型素子のうちの複数の発光型素子が、前記第３のしきい値と前記第４のしきい値との間の大きさを持つ入力信号に関連する前記複数の発光型素子のうちの複数の発光型素子ほど調光されないように、前記第２の調整された信号を適用する手段と、
前記第２の時間期間よりも長い最終の時間期間の間に、前記発光型ディスプレイに対して新たな入力が生成されなかった場合に、前記発光型ディスプレイにおける最終の静的モードを検出する手段と、
前記最終の静的モードを検出することに応答して、ゼロの大きさを持つ最終の調整された信号に前記入力信号をマッピングする手段と、
前記最終の静的モードを検出することに応答して、前記複数の発光型素子の出力を選択的に調光するために、前記最終の調整された信号を適用する手段と
を具備するデバイス。
【請求項１７】
前記第１の静的モードを検出する手段は、グラフィックプロセッサが、前記第１の時間期間の間に何も新たな入力信号を生成しなかったことを識別する手段を備える請求項１６記載のデバイス。
【請求項１８】
前記第１の静的モードを検出する手段は、ビデオデコーダが前記第１の時間期間の間に何も新たな入力信号を生成しなかったことを識別する手段を備える請求項１６記載のデバイス。
【請求項１９】
前記第１の静的モードを検出する手段は、ビデオデコーダおよびグラフィックプロセッサが前記第１の時間期間の間に何も新たな入力信号を生成しなかったことを識別する手段を備える請求項１６記載のデバイス。
【請求項２０】
前記第１のマッピングは、第１の線形スロープを規定する第１の線形マッピングを含み、前記第２のマッピングは、前記第１の線形マッピングの前記第１の線形スロープとは異なる第２の線形スロープを規定する第２の線形マッピングを含む請求項１６記載のデバイス。
【請求項２１】
前記第１の線形スロープおよび前記第２の線形スロープは、プログラム可能な変数である請求項２０記載のデバイス。
【請求項２２】
前記デバイスは、前記発光型ディスプレイの前記第１の静的モードを検出することに応答して、前記発光型ディスプレイの通常動作モードから前記発光型ディスプレイの調光モードに変更させる手段をさらに具備し、前記通常動作モードでは、前記入力信号は前記複数の発光型素子を駆動するために適用され、前記調光モードでは、前記入力信号は前記調整された信号にマッピングされ、前記調整された信号は前記複数の発光型素子に対して駆動するために適用される請求項１６記載のデバイス。
【請求項２３】
コンピュータに、
第１の時間期間の間に、発光型ディスプレイに対して新たな入力が生成されなかった場合に、前記発光型ディスプレイにおける第１の静的モードを検出する手順と、
前記第１の静的モードを検出することに応答して、前記発光型ディスプレイの複数の発光型素子に対して第１の調整された信号に入力信号を非線形にマッピングする手順であって、
当該マッピングを、少なくとも、
ゼロの大きさを持つ前記第１の調整された信号に、第１のしきい値よりも小さい大きさを持つ入力信号をマッピングし、
第１のマッピングに基づいて、前記第１の調整された信号に、前記第１のしきい値と当該第１のしきい値よりも大きい第２のしきい値との間の大きさを持つ入力信号をマッピングし、
第２のマッピングに基づいて、前記第１の調整された信号に、前記第２のしきい値よりも大きい大きさを持つ入力信号をマッピングする
ことによって行う、前記第１の調整された信号に入力信号を非線形にマッピングする手順と、
前記第１の静的モードを検出することに応答して、前記複数の発光型素子の出力を選択的に調光するために、前記第２のしきい値よりも大きい大きさを持つ入力信号に関連する前記複数の発光型素子のうちの複数の発光型素子が、前記第１のしきい値と前記第２のしきい値との間の大きさを持つ入力信号に関連する前記複数の発光型素子のうちの複数の発光型素子ほど調光されないように、前記第１の調整された信号を適用する手順と、
前記第１の時間期間よりも長い第２の時間期間の間に、前記発光型ディスプレイに対して新たな入力が生成されなかった場合に、前記発光型ディスプレイにおける第２の静的モードを検出する手順と、
前記第２の静的モードを検出することに応答して、前記発光型ディスプレイの複数の発光型素子に対して第２の調整された信号に前記入力信号を非線形に再マッピングする手順であって、
当該再マッピングを、少なくとも、
ゼロの大きさを持つ前記第２の調整された信号に、前記第１のしきい値よりも大きい第３のしきい値よりも小さい大きさを持つ入力信号をマッピングし、
第３のマッピングに基づいて、前記第２の調整された信号に、前記第３のしきい値と第４のしきい値との間の大きさを持つ入力信号をマッピングし、
第４のマッピングに基づいて、前記第２の調整された信号に、前記第４のしきい値よりも大きい大きさを持つ入力信号をマッピングする
ことによって行う、前記第２の調整された信号に前記入力信号を非線形に再マッピングする手順と、
前記第２の静的モードを検出することに応答して、前記複数の発光型素子の出力を選択的に調光するために、前記第４のしきい値よりも大きい大きさを持つ入力信号に関連する前記複数の発光型素子のうちの複数の発光型素子が、前記第３のしきい値と前記第４のしきい値との間の大きさを持つ入力信号に関連する前記複数の発光型素子のうちの複数の発光型素子ほど調光されないように、前記第２の調整された信号を適用する手順と、
前記第２の時間期間よりも長い最終の時間期間の間に、前記発光型ディスプレイに対して新たな入力が生成されなかった場合に、前記発光型ディスプレイにおける最終の静的モードを検出する手順と、
前記最終の静的モードを検出することに応答して、ゼロの大きさを持つ最終の調整された信号に前記入力信号をマッピングする手順と、
前記最終の静的モードを検出することに応答して、前記複数の発光型素子の出力を選択的に調光するために、前記最終の調整された信号を適用する手順と
を実行させるためのプログラムを記録した、コンピュータ読取可能な記憶媒体。
【請求項２４】
前記プログラムは、コンピュータに、前記第１の静的モードを検出するに際し、グラフィックプロセッサが前記第１の時間期間の間に何も新たな入力信号を生成しなかったことを識別する手順を実行させる請求項２３記載のコンピュータ読取可能な記憶媒体。
【請求項２５】
前記プログラムは、コンピュータに、前記第１の静的モードを検出するに際し、ビデオデコーダが前記第１の時間期間の間に何も新たな入力信号を生成しなかったことを識別する手順を実行させる請求項２３記載のコンピュータ読取可能な記憶媒体。
【請求項２６】
前記プログラムは、コンピュータに、前記第１の静的モードを検出するに際し、ビデオデコーダおよびグラフィックプロセッサが前記第１の時間期間の間に何も新たな入力信号を生成しなかったことを識別する手順を実行させる請求項２３記載のコンピュータ読取可能な記憶媒体。
【請求項２７】
前記第１のマッピングは、第１の線形スロープを規定する第１の線形マッピングを含み、前記第２のマッピングは、前記第１の線形マッピングの前記第１の線形スロープとは異なる第２の線形スロープを規定する第２の線形マッピングを含む請求項２３記載のコンピュータ読取可能な記憶媒体。
【請求項２８】
前記第１の線形スロープおよび前記第２の線形スロープは、プログラム可能な変数である請求項２７記載のコンピュータ読取可能な記憶媒体。
【請求項２９】
前記プログラムは、コンピュータに、前記発光型ディスプレイの前記第１の静的モードを検出することに応答して、前記発光型ディスプレイの通常動作モードから前記発光型ディスプレイの調光モードに前記プロセッサに変更する手順を実行させ、前記通常動作モードでは、前記入力信号は前記複数の発光型素子を駆動するために適用され、前記調光モードでは、前記入力信号は前記調整された信号にマッピングされ、前記調整された信号は前記複数の発光型素子に対して駆動するために適用される請求項２３記載のコンピュータ読取可能な記憶媒体。
【発明の詳細な説明】
【技術分野】
【０００１】
本開示は、有機発光ダイオード（ＯＬＥＤ）ディスプレイのような発光型ディスプレイに関連し、より詳細には、発光型ディスプレイに対する電力セービング技術に関連する。
【背景技術】
【０００２】
透過型ディスプレイは、一般的にバックライトを備えるディスプレイである。透過型ディスプレイでは、光は、バックライトから発光されて、さまざまなレイヤまたはフィルムを通して送信される。レイヤまたはフィルムは、透過型ディスプレイ上で所望の描出を生成させるために光を操作する。液晶ディスプレイ（ＬＣＤ）は、幅広い範囲の表示技術において使用される透過型ディスプレイの一般的な例である。特に、ＬＣＤは、計算機、ハンドヘルドコンピュータ、セルラ電話機、スマートフォン、パーソナルデジタルアシスタント（ＰＤＡ）、デジタルカメラ、ハンドヘルドゲーミングデバイス、ラップトップコンピュータおよび他のデバイスのような、ハンドヘルドデバイスにおいて非常に一般的である。ＬＣＤは、テレビ、および、より大きなコンピュータディスプレイのような、より大きな表示システムにおいても使用される。ＬＣＤのような透過型ディスプレイを含むデバイスでは、デバイスにおける電力をセーブするために、ブラックライトを調光または電源切断できる。
【０００３】
プラズマディスプレイおよび有機発光ダイオード（ＯＬＥＤ）ディスプレイのような、発光型ディスプレイは、透過型ディスプレイに対する実現可能な代案として登場した。発光型ディスプレイは、一般的にブラックライトを備えていない。代わりに、発光型ディスプレイは、ディスプレイ上で所望の描出を生成させるために個々に制御されている発光型素子のアレイを備える。発光型ディスプレイの発光型素子は、一般的に、個々の光源に類似している。発光型ディスプレイの各ピクセルは、発光型ディスプレイの１つ以上の発光型素子の出力を制御することにより、生成されてもよい。
【概要】
【０００４】
本開示は、発光型ディスプレイに対する電力セービング技術を説明する。本開示にしたがうと、発光型ディスプレイにおける発光型素子の出力強度は、発光型ディスプレイが規定された期間の間にその出力画像を変化させないときに、電力をセーブするために低減される。本開示の技術は、ブラックライトが経時的に暗くなるときの、従来の透過型ディスプレイにおける効果と視覚的に類似する、または、場合によっては、より優れた、視覚効果を発光型ディスプレイにおいて達成するかもしれない。
【０００５】
１つの例では、本開示は、発光型ディスプレイにおける静的モードを検出することと、入力信号の大きさに基づいて、発光型ディスプレイの複数の発光型素子に対して調整された信号に入力信号をマッピングすることと、静的モードの検出に応答して、複数の発光型素子の出力を選択的に調光するために、調整された信号を適用することとを含む方法を開示する。
【０００６】
別の例では、本開示は、複数の発光型素子を備える発光型ディスプレイと、発光型ディスプレイにおける静的モードを検出し、入力信号の大きさに基づいて、発光型ディスプレイの複数の発光型素子に対して調整された信号に入力信号をマッピングし、静的モードの検出に応答して、複数の発光型素子の出力を選択的に調光するために、調整された信号を適用する調光ユニットとを具備する装置を開示する。
【０００７】
別の例では、本開示は、発光型ディスプレイにおける静的モードを検出する手段と、入力信号の大きさに基づいて、発光型ディスプレイの複数の発光型素子に対して調整された信号に入力信号をマッピングする手段と、静的モードの検出に応答して、複数の発光型素子の出力を選択的に調光するために、調整された信号を適用する手段とを具備するデバイスを開示する。
【０００８】
本開示中で説明する技術は、ことによると、ソフトウェアまたはファームウェアの態様をハードウェアと組み合わせて使用して、ハードウェアで少なくとも一部が実現されてもよい。ソフトウェアまたはファームウェアで実現された場合、ソフトウェアまたはファームウェアは、マイクロプロセッサ、特定用途向け集積回路（ＡＳＩＣ）、フィールドプログラマブルゲートアレイ（ＦＰＧＡ）またはデジタル信号プロセッサ（ＤＳＰ）のような、１つ以上のハードウェアプロセッサで実行されてもよい。技術を実行するソフトウェアは、初めに、コンピュータ読取可能媒体中に記憶され、プロセッサにおいて、ロードおよび実行されてもよい。
【０００９】
それに応じて、本開示はコンピュータ読取可能記憶媒体も考慮する。コンピュータ読取可能記憶媒体は、プロセッサによる実行の際に、発光型ディスプレイにおいて静的モードをプロセッサに検出させ、入力信号の大きさに基づいて、発光型ディスプレイの複数の発光型素子に対して調整された信号に入力信号をプロセッサにマッピングさせ、静的モードを検出することに応答して、複数の発光型素子の出力を選択的に調光させるために、調整された信号をプロセッサに適用させる命令を含む。
【００１０】
本開示の１つ以上の態様の詳細は、添付図面および以下の記述において説明される。本開示中で説明される技術の他の特徴、目的および利点は、説明および図面から、ならびに、特許請求の範囲から明らかになるであろう。
【図面の簡単な説明】
【００１１】
【図１】図１は、本開示と一致する、例示的なビデオデバイスを図示しているブロックダイヤグラムである。
【図２】図２は、本開示と一致する、例示的なビデオデバイスを図示しているより詳細なブロックダイヤグラムである。
【図３】図３は、発光型ディスプレイの例示的な発光型素子を図示している概念ダイヤグラムである。
【図４】図４は、発光型ディスプレイの例示的な発光型素子を図示している回路ダイヤグラムである。
【図５】図５は、調光ユニットのいくつかの例示的な詳細を示している、調光ユニット、ディスプレイ制御装置および発光型ディスプレイのブロックダイヤグラムである。
【図６Ａ】図６Ａは、発光型ディスプレイに対する、出力信号への入力信号のいくつかの例示的なマッピングを示しているグラフである。
【図６Ｂ】図６Ｂは、発光型ディスプレイに対する、出力信号への入力信号のいくつかの例示的なマッピングを示しているグラフである。
【図７Ａ】図７Ａは、発光型ディスプレイに対する、出力信号への入力信号のいくつかの例示的なマッピングを示しているグラフである。
【図７Ｂ】図７Ｂは、発光型ディスプレイに対する、出力信号への入力信号のいくつかの例示的なマッピングを示しているグラフである。
【図７Ｃ】図７Ｃは、発光型ディスプレイに対する、出力信号への入力信号のいくつかの例示的なマッピングを示しているグラフである。
【図７Ｄ】図７Ｄは、発光型ディスプレイに対する、出力信号への入力信号のいくつかの例示的なマッピングを示しているグラフである。
【図７Ｅ】図７Ｅは、発光型ディスプレイに対する、出力信号への入力信号のいくつかの例示的なマッピングを示しているグラフである。
【図７Ｆ】図７Ｆは、発光型ディスプレイに対する、出力信号への入力信号のいくつかの例示的なマッピングを示しているグラフである。
【図８】図８は、発光型ディスプレイの出力を調光する例示的な技術を示しているフローダイヤグラムである。
【図９】図９は、発光型ディスプレイにおける調光を達成するために、調整された信号に入力信号をマッピングする例示的な技術を示しているフローダイヤグラムである。
【図１０】図１０は、発光型ディスプレイの出力を、インクリメントにおよび連続的に調光する例示的な技術を示しているフローダイヤグラムである。
【詳細な説明】
【００１２】
本開示は、発光型ディスプレイに対する電力セービング技術を説明する。本開示にしたがうと、発光型ディスプレイにおける発光型素子の出力は、発光型ディスプレイが規定された期間の間にその出力画像を変化させないときに、電力をセーブするために、選択的に低減される。本開示の技術は、ブラックライトが経時的に暗くなるときの従来の透過型ディスプレイにおける効果と視覚的に類似して見え、または、より優れて見える効果を発光型ディスプレイにおいて達成してもよい。
【００１３】
特に、本開示は、発光型ディスプレイにおける静的モードを識別し、その後、入力値（例えば、グレーレベル強度値）を調整された値（例えば、調整されたグレーレベル強度値）にマッピングする技術を提供する。静的モードを識別するために、本開示は、ビデオデコーダまたはグラフィックプロセッサのような、発光型ディスプレイに対して入力値を生成することができるビデオデバイスのコンポーネントを監視してもよい。ビデオデコーダおよび／またはグラフィックプロセッサが、ある時間期間の間に発光型ディスプレイに対して何も新たな入力を生成しなかった場合に、発光型ディスプレイは、静的であるとして識別されてもよく、その時間において調光を実行してもよい。いくつかのケースでは、いくつかのシーケンシャルな静的モードは、経時的に発光型ディスプレイを段階的に調光するために規定されてもよい。
【００１４】
調整された値に入力値をマッピングするために、本開示は、多数の異なるマッピング技術を提供する。調整された値への入力値のマッピングは、入力値の大きさに基づいてもよい。マッピングは、非線形であってもよく、それゆえ、入力値は、入力値の大きさに基づいて、異なってマッピングされてもよい。例えば、いくつかのケースでは、より大きな大きさを持つ入力値は、より小さな大きさを持つ入力値よりも多く保持され、このことにより、視覚的に満足な調光結果を達成してもよい。
【００１５】
入力値に対してしきい値が規定されてもよく、所定の入力値に適用されるマッピングは、さまざまなしきい値に対する所定の入力値の大きさに依存してもよい。しきい値はまた、発光型ディスプレイの設計および実現において柔軟性を提供するために、プログラム可能あってもよい。マッピングは、テーブルルックアップを介して、または、１つ以上の方程式のアプリケーションを介して実行されてもよい。
【００１６】
本開示の技術は、発光型ディスプレイを備えるハンドヘルドデバイスを含む、幅広い範囲の発光ディスプレイに対して有用であってもよい。ほとんどの従来のハンドヘルドデバイスは、通常バックライトを備える透過型ディスプレイを使用する。このようなデバイスでは、透過型ディスプレイがアイドルであるとき、または、画像が変化しないときに、バッテリー電力をセーブするために、バックライトを調光または電源切断できる。
【００１７】
プラズマディスプレイおよび有機発光ダイオード（ＯＬＥＤ）ディスプレイのような、発光型ディスプレイは、透過型ディスプレイに対する実現可能な代案として登場した。発光型ディスプレイは、一般的にブラックライトを備えていない。代わりに、発光型ディスプレイは、所望の描出をディスプレイ上で生成させるために個々に制御されている発光型素子のアレイを備える。発光型ディスプレイの発光型素子は、一般的に、個々の光源に類似している。発光型ディスプレイの各ピクセルは、発光型ディスプレイの１つ以上の発光型素子の出力を制御することにより、生成されてもよい。
【００１８】
本開示の技術は、ディスプレイ出力がある時間期間の間、静的である（例えば、ディスプレイへの入力が変化しない）ことを識別するときに、発光型素子の出力強度を低減するために、発光型ディスプレイシステムの発光型素子のうちのいくつかまたはすべての制御を可能にしてもよい。技術は、調整された値に入力値をマッピングし、技術は、発光型ディスプレイの静的モードを識別することに応答して、調整された値を持つ発光型ディスプレイの発光型素子を駆動してもよい。この方法で、視覚的に満足な調光を達成してもよく、発光型ディスプレイに対して電力セービングを促進できる。調光は、透過型ディスプレイシステムにおけるブラックライト調光と類似して見え、または、場合によっては、より優れて見えるかもしれない。
【００１９】
図１は、本開示と一致する、例示的なビデオデバイス１０を図示しているブロックダイヤグラムである。ビデオデバイス１０は、発光型素子１４のアレイを含む発光型ディスプレイ１２を備える。発光型素子１４のアレイは、２次元（２Ｄ）アレイで構成されている複数の発光型素子を含み、ここで、発光型素子のうちの１つ以上のものは、発光型ディスプレイ１２により出力されるピクセルを規定する。例えば、各ピクセルは、赤（Ｒ）、緑（Ｇ）および青（Ｂ）の発光型素子のセットにより規定されてもよく、それらのそれぞれは、単色グレーレベル強度値により制御されてもよい。ＲＧＢの代わりに、他の色の配合を使用することも可能である。
【００２０】
ビデオデバイス１０はまた、入力値を受信し、入力値に基づいて、発光型ディスプレイ１２の発光型素子のアレイを駆動するディスプレイ制御装置１９を具備する。ディスプレイ制御装置１９は、発光型素子１４のアレイのうちの各素子に対して、現在の入力値を記憶する（示されていない）ディスプレイバッファを備えてもよい。
【００２１】
ビデオデバイス１０はまた、入力値（例えば、グレーレベル強度値）を、アレイ１４中の複数の発光型素子のそれぞれに対して調整された値（例えば、調整されたグレーレベル強度値）にマッピングするために、本開示の技術を実行する調光ユニット１６を備える。この方法で、調光ユニット１６は、発光型ディスプレイの発光型素子１４のアレイを調光するために、ディスプレイ制御装置１９に対して調整された値を生成してもよく、これにより、そのような調整された値をディスプレイ制御装置１９によって適用できる。調光ユニット１６は、ここで記述したマッピングを実行する１つ以上のルックアップテーブルを備え、または、代替的に、調光ユニット１６は、調整された値に入力値をマッピングするために、１つ以上の方程式を直接的に適用してもよい。
【００２２】
ビデオデバイス１０は、発光型ディスプレイ１６を備えるハンドヘルドデバイスを含むとはいえ、本開示は、必ずしもハンドヘルドデバイスに限定されない。他の例では、ビデオデバイス１０は、計算機、セルラ電話機、スマートフォン、パーソナルデジタルアシスタント（ＰＤＡ）、デジタルカメラ、ハンドヘルドゲーミングデバイス、ラップトップコンピュータ、発光型ディスプレイを実現する他の任意のデバイスを含んでもよい。
【００２３】
調光ユニット１６は、集積回路、マイクロプロセッサ、マイクロ制御装置、離散論理、または、本開示の技術を実行するように構成されている他のコンポーネントと含んでもよい。調光ユニット１６は、ハードウェアにおいて少なくとも一部実現されてもよく、いくつかのケースでは、ハードウェアとの組み合わせで、ソフトウェアまたはファームウェアを実現させてもよい。本開示にしたがうと、調光ユニット１６は、発光型ディスプレイ１２における静的モードを検出し、入力信号の大きさに基づいて、アレイ１４中の複数の発光型素子に対して調整された信号に入力信号をマッピングする。例えば、調光ユニット１６は、マッピングを促進するために、１つ以上のルックアップテーブルを適用してもよく、または、１つ以上の方程式を適用してもよい。
【００２４】
調光ユニット１６は、調整された値をディスプレイ制御装置１９に送り、ディスプレイ制御装置１９は、静的モードの検出に応答して、複数の発光型素子の出力を選択的に調光するために、調整された信号を適用する。は、異なる発光型素子が、それらの素子に対応する入力の大きさに依存して異なって調光されるという意味で、選択的である。ある例として、相対的により大きな値の入力に関係する発光型素子が、相対的により小さな値の入力に関係するそれらの発光型素子ほど調光されないように、より小さな大きさを持つ入力値は、より大きな大きさを持つ入力値よりもアグレッシブに調光されてもよい。
【００２５】
静的モードを検出するときに、調光ユニット１６は、発光型ディスプレイ１６への入力信号がある時間期間の間変化しなかったことを検出してもよい。下記により詳細に論じられているように、調光ユニット１６は、時間期間の間に、グラフィックプロセッサおよび／またはビデオデコーダにおけるインアクティビティを識別することにより、静的モードを検出してもよい。例えば、入力信号は、（ビデオデコーダまたはグラフィックプロセッサのような）あるコンポーネントがアクティブであるときのみに変化してもよい。それに応じて、調光ユニット１６は、そのようなコンポーネントを監視してもよく、発光型ディスプレイ１２の静的モードを識別する表示として、そのようなコンポーネントのインアクティビティを使用してもよい。しかしながら、他のケースでは、調光ユニット１６は、ディスプレイ制御装置のディスプレイバッファを監視して、入力データが変化しているか否かを決定することが可能であり、または、別の方法で静的モードを検出することが可能である。
【００２６】
下記でさらに詳細に説明されているように、調光ユニット１６は、調整された信号に入力信号をマッピングするために非線形マッピングを適用してもよい。非線形マッピングは、特徴点により分けられた２つ以上の線形マッピングを含んでもよい。異なる線形マッピングは、マッピングが、特徴点を上回る入力の大きさ、および、特徴点を下回る入力の大きさに対して異なるように、特徴点の上下において異なるスロープを規定してもよい。
【００２７】
いくつかのケースでは、調光ユニット１６は、マッピングを決定するために、複数のしきい値を適用してもよく、しきい値は、調光ユニット１６においてプログラムでき、ことによると、調整できるプログラム可能な値であってもよい。例えば、調光ユニット１６は、より低いしきい値Ｔ１を適用し、しきい値Ｔ１を下回る入力信号は、０の調整された信号にマッピングされる。このケースでは、入力信号がＴ１を下回る大きさを規定する場合に、入力信号は、０の調整された値にマッピングされてもよい。調光ユニット１６は、第１のしきい値範囲Ｔ１〜Ｔ２を適用してもよく、Ｔ１〜Ｔ２の間の入力信号は、第１のマッピングに基づいて、第１の調整された信号にマッピングされ、調光ユニット１６はまた、第２のしきい値範囲Ｔ２〜Ｔ３を適用してもよく、Ｔ２〜Ｔ３の間の入力信号は、第２のマッピングに基づいて、第２の調整された信号にマッピングされ、第２のマッピングは第１のマッピングとは異なる。
【００２８】
しきい値Ｔ２は、特徴点に対応してもよい。第１のマッピングは、第１の線形スロープを規定する第１の線形マッピングを含んでもよく、第２のマッピングは、第１の線形マッピングの第１の線形スロープとは異なる第２の線形スロープを規定する第２の線形マッピングを含んでもよい。調光ユニット１６により適用される（Ｔ１、Ｔ２、Ｔ３、第１の線形スロープおよび第２の線形スロープのような）これらの変数のうちのいくつかまたはすべては、プログラム可能な変数であってもよい。調光ユニット１６は、プログラム可能な変数を規定する、プログラマー、デバイス製造業者、または、ユーザから情報を受信してもよい。
【００２９】
調光ユニット１６は、発光型ディスプレイ１２の静的モードを検出することに応答して、発光型ディスプレイ１２を通常動作モードから調光モードに変更してもよい。通常動作モードでは、アレイ１４中の複数の発光型素子を駆動するために、入力信号は、ディスプレイ制御装置１９によって発光型ディスプレイ１２に適用される。しかしながら、調光モードでは、調光ユニット１６は、調整された信号に入力信号をマッピングし、アレイ１４中の複数の発光型素子を駆動するために、調整された信号をディスプレイ制御装置１９に供給してもよく、これにより、調整された信号がディスプレイ制御装置１９によって適用される。
【００３０】
いくつかのケースでは、静的モードのいくつかの段階は、調光ユニット１６が、発光ディスプレイ１２による任意の出力を最終的に終了させる前に数回、発光型ディスプレイ１２の出力を連続して調光するようにサポートされていてもよい。したがって、静的モードは、第１の静的モードを含んでいてもよく、調整された信号は、第１の調整された信号を含んでいてもよい。このケースでは、調光ユニット１６は、発光型ディスプレイ１２における第２の静的モードを検出し、入力信号の大きさに基づいて、アレイ１４の複数の発光型素子に対して第２の調整された信号に入力信号を再マッピングする。このケースでは、ディスプレイ制御装置１９は、第２の静的モードを検出することに応答して、複数の発光型素子の出力を選択的に調光するために、第２の調整された信号を適用できる。この方法で、発光型ディスプレイ１６の出力が、漸進的に経時的にますます落ちるように、段階的に調光が起こってもよい。いくつかの点において、発光型ディスプレイ１２の出力は、発光型ディスプレイ１２が、十分に長い時間期間の間、静的を維持する場合に、調光ユニット１６の指示で終わってもよい。
【００３１】
図２は、本開示と一致する、例示的なビデオデバイス２０を図示しているより詳細なブロックダイヤグラムである。デバイス２０は、発光型素子２４のアレイを含む発光型ディスプレイ２２を備える。ディスプレイ制御装置２９は、一般的に、発光型ディスプレイ２６を制御する。調光ユニット２６は、しかしながら、ここで説明したように、ディスプレイ制御装置２９が発光型ディスプレイに提供する入力を調整してもよい。ビデオデバイス２０は、ビデオデバイス１０のより特定の例に対応していてもよく、または、ビデオデバイス１０とは異なるビデオデバイスを含んでいてもよい。
【００３２】
デバイス２０は、グラフィックプロセッサ２７、ビデオデコーダ２８、ビデオカメラ２１、メモリ２３および送信機−受信機２５のような、他のさまざまなコンポーネントを備えていてもよい。システムバス１７は、発光型ディスプレイ２２、グラフィックプロセッサ２７、ビデオデコーダ２８、ビデオカメラ２１、メモリ２３および送信機−受信機２５を通信可能に結合してもよい。ビデオカメラ２１は、ビデオシーケンスを取り込んでもよく、ビデオシーケンスは、メモリ２３中に記憶されてもよい。送信機−受信機２５は、ワイヤレスアンテナ１９を備えてもよく、他のデバイスとのワイヤレス通信を可能にしてもよい。それに応じて、エンコードされたビデオデータもまた、送信機−受信機２５を介してデバイス２０において受信されてもよい。送信機−受信機２５は、コード分割多元接続（ＣＤＭＡ）または他のワイヤレスプロトコルのような、幅広い範囲のワイヤレスプロトコルのうちの任意のものにしたがって動作してもよい。送信機−受信機２５は、ＣＤＭＡにしたがって、データを変調および復調するモデムを備えていてもよい。送信機−受信機２５によって使用されてもよい他の例示的なワイヤレス技術は、グローバルシステムフォーワイヤレスコミュニケーション（ＧＳＭ（登録商標））システム、周波数分割多元接続（ＦＤＭＡ）、時分割多元接続（ＴＤＭＡ）、直交周波数分割多元接続（ＯＦＤＭ）、ブルートゥース（登録商標）、８０２．１１プロトコルのうちの１つ以上のもの、ワイドバンド通信、または、他の任意の通信技術、標準規格、あるいは、これらの組み合わせを含んでもよい。
【００３３】
デバイス２０はまた、グラフィックプロセッサ２７およびビデオデコーダ２８を備えていてもよい。グラフィックプロセッサ２７は、ビデオカメラ２１により取り込まれたビデオ上でのグラフィック処理を実行してもよく、ビデオデコーダ２８は、送信機−受信機２５により受信されたエンコードされたビデオ、または、メモリ２３中に記憶されているエンコードされたビデオをデコードしてもよい。それに応じて、発光型ディスプレイ２２により表示されることになる任意のビデオ情報は、初めに、ビデオデコーダ２８による処理、グラフィックプロセス２７、または、ことによると両方を必要としてもよい。それゆえ、本開示の１つの態様では、調光ユニット２６は、発光型ディスプレイ２２に対する静的モードを識別または宣言するために、ビデオデコーダ２８およびグラフィックプロセス２７の双方が、何も新たな入力データを生成しなかったことを識別してもよい。
【００３４】
本開示にしたがうと、調光ユニット２６は、発光型ディスプレイ２２における静的モードを検出し、入力信号の大きさに基づいて、アレイ２４中の複数の発光型素子に対して調整された信号に入力信号をマッピングする。ディスプレイ制御装置２９は、その後、第２の静的モードを検出することに応答して、複数の発光型素子の出力を選択的に調光するために、調整された信号を適用する。また、静的モードを検出するときに、調光ユニット２６は、発光型ディスプレイ２２またはディスプレイバッファへの入力信号を監視することによって、あるいは、時間期間の間の、グラフィックプロセッサ２７および／またはビデオデコーダ２８におけるインアクティビティを識別することによって、発光型ディスプレイ２２への入力信号がある時間期間の間に変化しなかったことを検出してもよい。発光型ディスプレイ２２に対するディスプレイバッファは、発光型ディスプレイ２２内で、または、ディスプレイ制御装置２９内で実現されてもよく、いくつかのケースでは、ディスプレイ制御装置２９は、発光型ディスプレイ２２の静的ステータスを検出するために、ディスプレイバッファへの入力を監視できる。このケースでは、規定された時間期間の間にデータがディスプレイ中で変化しない場合に、発光型ディスプレイ２２は静的ステータスであってもよい。発光型ディスプレイ２２の静的ステータスを検出するこれらのまたは他の技術は、調光が起こるべきか否かを決定するために使用されてもよい。
【００３５】
調光ユニット２６は、調整された信号に入力信号をマッピングするために非線形マッピングを適用してもよい。調光ユニット２６は、発光型ディスプレイ２２の静的モードを検出することに応答して、発光型ディスプレイ２２を通常動作モードから調光モードに変更してもよい。通常動作モードでは、アレイ２４中の複数の発光型素子を駆動するために、入力信号は、発光型ディスプレイ２２より適用される。このケースでは、調光ユニット２６は、何らかの調光を実行せずに、単に、任意の入力信号をディスプレイ制御装置２９に直接的にパスしてもよい（または、代替的に、入力信号は、調光ユニット２６を通してパスすることなく、グラフィックプロセッサ２７またはビデオデコーダ２８からディスプレイ制御装置２９に直接的にパスすることが可能である）。しかしながら、調光モードでは、調光ユニット２６は、調整された信号に入力信号をマッピングし、調整された信号をディスプレイ制御装置２９に適用してもよく、これにより、調整された信号が、アレイ２４中の複数の発光型素子に適用される。
【００３６】
図３は、発光型ディスプレイの例示的な発光型素子３０を図示している概念ダイヤグラムである。この例では、発光型素子３０は、基材３７、陽極３６、ホールトランスポートレイヤ３５、発光型レイヤまたは電子トランスポートレイヤ３４、１つ以上の半透過型陰極レイヤ３３、および、透過型パッシベーションレイヤを備える。電源３１は、陽極３６および１つ以上の半透過型陰極レイヤ３３にわたって電圧を提供する。陽極３６と透過型陰極レイヤ３３との間の電圧は、発光型素子３０を駆動する入力信号として選択されてもよい。本開示の技術は、調光効果を達成するために、（素子３０のような）発光型素子に対する入力信号への調整を提供する。発光型ディスプレイは、アレイ中に構成されている、複数の発光型素子、例えば、素子３０のような、何千の発光型素子、または、ことによると、何百万の発光型素子を備えていてもよい。
【００３７】
図４は、発光型ディスプレイの例示的な発光型素子４０を図示している回路ダイヤグラムである。陽極ＶＣＣ信号４１は、陽極電圧を規定し、駆動信号４５は、陰極電圧を規定する。入力データは、データ４７に対応し、コンデンサ４６を切り換えることは、（選択信号４３を介して）このような入力データがコンデンサ４２への充電を生じさせるか否かを制御する。コンデンサ４２は、駆動トランジスタ４４のゲートを制御する一時的な電源として動作し、次に、発光ダイオード（ＬＥＤ）４８を駆動するのに必要な電圧を提供する。この方法で、発光型素子４０は、入力データ信号４７に基づいて、ＬＥＤ４８を制御可能に発光させることができる。
【００３８】
一般的に、有機ＬＥＤ（“ＯＬＥＤ”）では、発光型素子のアレイは、行および列線の交差においてピクセルを形成する一連の行および列線中に構成されてもよい。受動マトリックスＯＬＥＤと呼ばれるものにおいて、所望の画像は、ピクセルをリフレッシュし、所望の照度を生成させるために、絶えずスキャンされてもよい。能動マトリックスＯＬＥＤでは、すべてのピクセルが、スイッチ、メモリセルおよび電源を含んでもよい。ピクセルの行がアドレス指定されているとき、ピクセルスイッチが電源投入にされるかもしれず、ディスプレイドライバからの入力信号に比例するチャージを、コンデンサ４２のようなローカルピクセルメモリコンデンサに転送する。コンデンサ４２は、次のサイクルにおいて、同一の行が再アドレス指定されるまで、チャージを保持し、したがって、コンデンサ４２は、ＯＬＥＤピクセルをドライブする短期間電源として動作する。
【００３９】
述べたように、本開示は、複数の発光型素子（図３および４中に示されている素子３０または素子４０のような）を備える発光型ディスプレイに対する電力セービング技術を説明する。再び図２を参照すると、調光ユニット２６は、調整された信号に入力信号をマッピングするために非線形マッピングを適用してもよく、ここで、調整された信号は、オリジナル入力信号に関連するそれぞれの発光型素子の出力を調光する。非線形マッピングは、特徴点によって分割された２つ以上の線形マッピングを含んでもよい。異なる線形マッピングは、マッピングが、特徴点を上回る入力の大きさ、および、特徴点を下回る入力の大きさに対して異なるように、特徴点の上下において異なるスロープを規定してもよい。
【００４０】
いくつかのケースでは、調光ユニット２６は、マッピングを決定するために、複数のしきい値を適用してもよく、しきい値は、調光ユニットにおいてプログラムでき、ことによると、調整できるプログラム可能な値であってもよい。例えば、調光ユニット２６は、より低いしきい値Ｔ１を適用してもよく、しきい値Ｔ１を下回る入力信号は、０の調整された信号にマッピングされる。このケースでは、入力信号がＴ１を下回る大きさを規定する場合に、入力信号は、０の調整された値にマッピングされてもよい。調光ユニット２６は、第１のしきい値範囲Ｔ１〜Ｔ２を適用してもよく、Ｔ１〜Ｔ２の間の入力信号は、第１のマッピングに基づいて、第１の調整された信号にマッピングされ、調光ユニット２６はまた、第２のしきい値範囲Ｔ２〜Ｔ３を適用してもよく、Ｔ２〜Ｔ３の間の入力信号は、第２のマッピングに基づいて、第２の調整された信号にマッピングされ、第２のマッピングは、第１のマッピングとは異なる。
【００４１】
第１のマッピングは、第１の線形スロープを規定する第１の線形マッピングを含んでもよく、第２のマッピングは、第１の線形マッピングの第１の線形スロープとは異なる第２の線形スロープを規定する第２の線形マッピングを含んでよい。調光ユニット２６により適用される（Ｔ１、Ｔ２、Ｔ３、第１の線形スロープおよび第２の線形スロープのような）これらの変数のうちのいくつかまたはすべては、プログラム可能な変数であってもよい。調光ユニット２６は、プログラム可能な変数を規定する、プログラマーまたはユーザから情報を受信してもよい。調光ユニット２６は、マッピングを促進する１つ以上のルックアップテーブルを含んでもよい。このケースでは、調光ユニットは、特定の静的モードに対する対応する調整された値にマッピングする入力値をルックアップテーブル中に入力することにより、調整された値に入力値をマッピングしてもよい。代替的に、または、追加として、調光ユニット２６は、特定の静的モードに対する対応する値に入力値をマッピングするために、入力値を１つ以上の方程式に入力してもよい。
【００４２】
調光ユニット２６は、発光型ディスプレイ２２の静的モードを検出することに応答して、発光型ディスプレイ２２を通常動作モードから調光モードに変更してもよい。通常動作モードでは、アレイ２４中の複数の発光型素子を駆動するために、入力信号は、発光型ディスプレイ２２により適用される。しかしながら、調光モードでは、調光ユニット２６は、調整された信号に入力信号をマッピングし、調整された信号を発光型ディスプレイ２２に適用してもよく、これにより、調整された信号は、アレイ２４中の複数の発光型素子を駆動するために適用される。いくつかのケースでは、ディスプレイ制御装置２９または発光型ディスプレイ２２におけるディスプレイバッファ（示されていない）は、オリジナル入力信号により書き込まれ、その後、調整が起こるときに、調整された信号により上書きされてもよい。他のケースでは、ディスプレイバッファは、初めに、発光型ディスプレイ２２が静的モードにあるか否かに依存して、表示されることになる信号（オリジナル信号または調整された信号のいずれか）により書き込まれてもよい。
【００４３】
いくつかのケースでは、静的モードのいくつかの段階は、調光ユニット２６が、発光ディスプレイ２２による任意の出力を最終的に終了させる前に数回、発光型ディスプレイ２２の出力を調光するようにサポートされていてもよい。したがって、静的モードは、第１の静的モードを含んでいてもよく、調整された信号は、第１の調整された信号を含んでいてもよい。このケースでは、調光ユニット２６は、発光型ディスプレイ２２における第２の静的モードを検出し、入力信号の大きさに基づいて、アレイ２４の複数の発光型素子に対して第２の調整された信号に入力信号を再マッピングする。そのようにして、ディスプレイ制御装置２９は、第２の静的モードの検出に応答して、複数の発光型素子の出力を選択的に調光するために、第２の調整された信号を受信して適用してもよい。この方法で、発光型ディスプレイ２６の出力が、経時的にますます落ちるように、段階的に調光が起こってもよい。いくつかの点において、発光型ディスプレイ２２の出力は、発光型ディスプレイ２２が、十分に長い時間期間の間、静的を維持する場合に、調光ユニット２６の指示で終わってもよい。
【００４４】
図２では、ディスプレイ制御装置２９は、発光型ディスプレイ２２に対する標準制御装置を備えていてもよい。このケースでは、調光ユニット２６は、入力信号をディスプレイ制御装置２９に配信する前に、そのような信号を選択的に調整する回路またはモジュールを備えていてもよい。他の例では、しかしながら、調光ユニット２６の技術および機能性は、ディスプレイ制御装置２９中に直接組み込むことが可能である。加えて、他の例では、調光ユニット２６の技術および機能性はまた、グラフィックプロセッサ２７および／またはビデオデコーダ２８中に直接組み込むことが可能である。本開示の図示は単に例示的なものであり、他のインプリメンテーションを使用して、ここに記述した同一の機能性を達成することが可能である。
【００４５】
図５は、調光ユニット５１６、ディスプレイ制御装置５１８、および、発光型素子５１４のアレイを含む発光型ディスプレイ５１２のブロックダイヤグラムである。図５は、特に、調光ユニット５１６の１つの例の例示的ないくつかの詳細を図示している。しかしながら、図５は、単に調光ユニット５１６の１つの例示的なインプリメンテーションであり、他のコンポーネントまたはモジュールを実現して、ここに記述したものと類似した機能性を達成することが可能である。
【００４６】
調光ユニット５１６は、ＸINPUTとして表されている入力データを受信する。ＸINPUTは、他の方法で、発光型ディスプレイ５１２の発光型素子５１４のアレイ中の発光型素子に対する入力信号として使用されるだろう入力信号（例えば、入力グレーレベル強度値）を表してもよい。しかしながら、調光ユニット５１６は、ＸINPUTを、ＸOUTPUTにより表されている調整された信号（例えば、調整されたグレーレベル強度値）に調整してもよい。このケースでは、ディスプレイ制御装置５１８は、発光型素子５１４のアレイ中の発光型素子を駆動するために、ＸINPUTの代わりにＸOUTPUTを適用してもよい。
【００４７】
調光ユニット５１６は、ＸINPUTに基づいてＸOUTPUTを適切に生成するように設計されている多数のコンポーネントを備えていてもよい。ＸOUTPUTに割り当てられた値は、ＸINPUTの大きさに基づいていてもよい。ＸAVEとして表されている、入力に対する平均値を生成させるために、ＸINPUTは、２次元（２Ｄ）ローパスフィルタ５２２によりフィルタリングされてもよい。入力に対する最小値および最大値は、それぞれ、ピクセル最小値検出ユニット５２６およびピクセル最大値検出ユニット５２４により、ＸAVEから決定されてもよい。ピクセル最小値（すなわち、最も薄いグレースケール値）は、ＸMINとして表され、ピクセル最大値（すなわち、最も濃いグレースケール値）は、ＸMAXとして表される。ピクセル領域検出ユニット５２８は、ＸMINおよびＸMAXを使用して、ＸRANGEとして表されるピクセル領域を決定してもよい。
【００４８】
ピクセル特徴推定ユニット５３０は、ＸRANGE内の特徴点を推定してもよい。特徴点は、例えば、デバイスのユーザにより、または、ことによると、デバイスの製造者により、選択可能または制御可能であってもよいしきい値として見られてもよい。特徴点を上回る入力値は、特徴点を下回る入力値とは異なって調整されてもよい。調光制御ユニット５４０は、さまざまなコンポーネントを制御してもよく、入力の異なる範囲に対して、特徴点を規定または調整してもよい。調光制御ユニット５４０はまた、調整された信号を増加させることができる乗算器５４２を制御してもよい。
【００４９】
しきい値検出ユニット５３２は、各到来入力値（ＸINPUT）を特徴点ＸSALIENCYと比較してもよい。しきい値検出ユニット５３２は、調整された信号ＸADJUSTMENTを生成してもよく、この調整された信号は、所定の入力値ＸINPUTが特徴点ＸSALIENCYを上回るか、または、下回るかに依存して異なってもよい。乗算器５４２は、その後、調整された信号ＸADJUSTMENTに調光制御ユニット５４０により命じられた量を掛けてもよい。このように、調光制御ユニット５４０は、乗算器５４２が経時的に調整をシーケンシャルに増加させるように制御し、それにより、発光型ディスプレイ５１２が静的を保つとき、ＸOUTPUTを経時的に低減させてもよい。乗算器５４２による出力である、増倍された調整された信号は、ＸINPUTをＸOUTPUTに低減させるために、減算ユニット５４４により使用されてもよい。したがって、ＸOUTPUTは、調整された信号としてディスプレイ制御装置５１８に提供することができ、ディスプレイ制御装置５１８は、次に、ＸOUTPUTに基づいて、発光型ディスプレイ５１２の適切な発光型素子を駆動する。ＸOUTPUTが、ＸINPUTに対して下向きに調整されることから、調光が達成される。
【００５０】
図６Ａおよび６Ｂは、発光型ディスプレイに対する、出力信号への入力信号のいくつかの例示的なマッピングを示しているグラフである。これらの異なるマッピングは、ここで記述するように、オリジナル入力信号の大きさに基づいて、発光型ディスプレイに対して調整された入力信号を選択的に規定するために、調光ユニットにより実行されてもよい。図６Ａおよび６Ｂのグラフは、調整されたグレースケール値（Ｙ軸にそった“出力”）にマッピングされた入力グレースケール値（Ｘ軸にそった“入力”）を表してもよい。
【００５１】
図６Ａでは、調光は、一般的に線形方法で起こる。線６０１は、変化が起こらない点を表す。つまり、線６０１にそって、入力値は、対応する出力値に対して１対１でマッピングする。線６０２、６０３、６０４および６０５は、調光を達成する異なる線形マッピングを表してもよい。いくつかのケースでは、線６０２、６０３、６０４および６０５は、経時的にますます調光を達成するシーケンシャルな調光モードを表してもよい。線６０２、６０３、６０４および６０５のそれぞれは、線形方法で入力値を調光してもよい。図６Ａの例は、透過型ディスプレイにおける従来のブラックライト調光のものと同様な調光を発光型ディスプレイにおいて達成してもよい。図６Ｂおよび図７Ａ〜７Ｆの例は、発光型ディスプレイにおけるこのような調光をさらに向上させてもよい。図６Ｂおよび図７Ａ〜７Ｆの非線形マッピングの例は、電力を向上させてもよい。
【００５２】
図６Ｂでは、調光は、非線形方法で起こる。線６１１は、変化が起こらない点を表す。つまり、線６１１にそって、入力値は、対応する出力値に対して１対１でマッピングする。点６１２、６１４、６１６および６１８は、例えば、異なる調光モードに関係する、異なる例示的な特徴点を表す。線６１３は、入力が特徴点６１２より小さいとき、第１の調光モードに対応してもよい。このケースでは、入力が特徴点６１２よりも大きい場合に、調光が特徴点６１２を上回るそれらの入力値に対して起こらないように、マッピングは線６１１にそって実行される。
【００５３】
線６１５は、第１の調光モードよりもアグレッシブな第２の調光モードに対応してもよい。線６１５にそって、入力が特徴点６１４よりも小さいときに調光が起こるが、入力が特徴点６１４よりも大きい場合に、調光が特徴点６１４を上回るそれらの入力値に対して起こらないように、マッピングは線６１１にそって実行される。
【００５４】
線６１７は、第１および第２の調光モードよりもさらにアグレッシブな第３の調光モードに対応してもよい。線６１７にそって、入力が特徴点６１６よりも小さいときに調光が起こるが、入力が特徴点６１６よりも大きい場合に、調光が特徴点６１４を上回るそれらの入力値に対して起こらないように、マッピングは線６１１にそって実行される。
【００５５】
線６１９は、第１、第２および第３の調光モードよりもさらにアグレッシブな第４の調光モードに対応してもよい。線６１９にそって、入力が特徴点６１８よりも小さいときに、調整された値はすべて０にマッピングされるが、入力が特徴点６１８よりも大きい場合に、調光が特徴点６１４を上回るそれらの入力値に対して起こらないように、マッピングは線６１１にそって実行される。図６Ａおよび６Ｂ中に図示されている異なる線のそれぞれは、１つ上のルックアップテーブルまたは１つ以上の方程式を使用して実現されてもよい。
【００５６】
異なる調光モードが、代替的に、または、連続的に使用されてもよい。連続的に使用される場合、調光は、発光型ディスプレイが時間１の間、静的である後、第１の調光モードにしたがって起こってもよく、調光は、発光型ディスプレイが時間２（ここで、時間２＞時間１）の間、静的である後、第２の調光モードにしたがって起こってもよい。同様に、調光は、発光型ディスプレイが時間３（ここで、時間３＞時間２）の間、静的である後、第３の調光モードにしたがって起こってもよく、調光は、発光型ディスプレイが時間４（ここで、時間４＞時間３）の間、静的である後、第４の調光モードにしたがって起こってもよい。１つの非線形の例として、時間１はおよそ５秒であってもよく、時間２はおよそ１０秒であってもよく、時間３はおよそ１５秒であってもよく、時間４はおよそ２０秒であってもよい。これらの時間は、異なる例において変化することが可能である。
【００５７】
図７Ａ〜７Ｆは、発光型ディスプレイに対する、出力信号への入力信号のいくつかの例示的なマッピングを示しているグラフである。これらの異なるマッピングが、代替的に、または、連続的に適用されてもよい。図７Ａ〜７Ｆ中に図示されている異なるマッピングのそれぞれは、１つ以上のルックアップテーブルまたは１つ以上の方程式を使用して実現されてもよい。異なるルックアップテーブルまたは異なる方程式は、例えば、所定の入力の大きさが、所定のマッピングに対する点（７０４、７１４、７２４、７３４、７４４および７５４）を上回って、または、下回って存在するか否かに依存して適用されてもよく、ここで、点（７０４、７１４、７２４、７３４、７４４および７５４）は、ここで記述した特徴点を表してもよい。
【００５８】
調光は、図７Ａから図７Ｆへ段階的によりアグレッシブになる。線（７０２、７１２、７２２、７３２、７４２および７５２）は、調光が起こらない点を表す。関数（７０１、７１１、７２１、７３１、７４１および７５１）は、例示的な非線形マッピングを表す。点（７０３、７１３、７２３、７３３、７４３および７５３）は、より小さいしきい値（それぞれしきい値Ｔ１と呼ばれる）を表し、Ｔ１を下回る入力信号は、各それぞれのグラフに対して、０の調整された信号にマッピングされる。点（７０４、７１４、７２４、７３４、７４４および７５４）は、特徴点（それぞれ、しきい値Ｔ２と呼ばれる）を表す。第１のしきい値範囲Ｔ１〜Ｔ２は、点（７０３、７１３、７２３、７３３、７４３および７５３）と点（７０４、７１４、７２４、７３４、７４４および７５４）との間のそれぞれのスロープにより規定される第１のマッピングに基づいて、入力信号が第１の調整された信号にマッピングされる点を規定してもよい。
【００５９】
点（７０５、７１５、７２５、７３５、７４５および７５５）は、入力値の最大の大きさに対応する高い点（それぞれは、しきい値Ｔ３と呼ばれる）を表す。第２のしきい値範囲Ｔ２〜Ｔ３は、点（７０４、７１４、７２４、７３４、７４４および７５４）と点（７０５、７１５、７２５、７３５、７４５および７５５）との間のそれぞれのスロープにより規定される第２のマッピングに基づいて、入力信号が第２の調整された信号にマッピングされる点を規定してもよい。
【００６０】
連続的に使用される場合、調光は、発光型ディスプレイが時間１の間、静的である後、図７Ａにより規定されている第１の調光モードにしたがって起こってもよく、調光は、発光型ディスプレイが時間２（ここで、時間２＞時間１）の間、静的である後、図７Ｂにより規定されている第２の調光モードにしたがって起こってもよい。同様に、調光は、発光型ディスプレイが時間３（ここで、時間３＞時間２）の間、静的である後、図７Ｃにより規定されている第３の調光モードにしたがって起こってもよく、調光は、発光型ディスプレイが時間４（ここで、時間４＞時間３）の間、静的である後、図７Ｄにより規定されている第４の調光モードにしたがって起こってもよい。加えて、調光は、発光型ディスプレイが時間５（ここで、時間５＞時間４）の間、静的である後、図７Ｅにより規定されている第５の調光モードにしたがって起こってもよく、調光は、発光型ディスプレイが時間６（ここで、時間６＞時間５）に対して静的である後、図７Ｆにより規定されている第６の調光モードにしたがって起こってもよい。任意の数の調光モードを規定することが可能であり、他のタイプのマッピングを本開示に矛盾せずに使用することが可能である。ある例として、時間１はおよそ５秒であってもよく、各連続的な時間間隔は、前の時間間隔よりもおよそ５秒長くなるように規定されてもよいけれども、時間間隔は任意の方法で規定されてもよい。
【００６１】
図８は、本開示と一致する技術を図示しているフローダイヤグラムである。図８は、図２のビデオデバイス２０の観点から記述されるけれども、他のデバイスが技術を実現することも可能である。図８中で示されているように、調光ユニット２６は、例えば、グラフィックプロセッサ２７またはビデオデコーダ２８から入力信号を受信する（８１）。調光ユニット２６は、その後、新たな入力値がグラフィックプロセッサ２７もしくはビデオデコーダ２８から受信されるか、または、グラフィックプロセッサ２７もしくはビデオデコーダ２８が時間期間の間インアクティブであるか否かを決定することによって、静的モードを監視する（８２）。
【００６２】
一般的に、調光ユニット２６は、表示コンテンツが変化したか否かを決定することにより、静的モードを検出してもよい。調光ユニット２６は、例えば、発光型ディスプレイ２２に関係する任意のメモリまたはバッファ中への任意の書き込みアクセスによりトリガされるタイマー（例えば、ハードウェアで実現される）を備えてもよい。例えば、ディスプレイ制御装置２９が、発光型ディスプレイ２２のためのディスプレイバッファを備えている場合、調光ユニット２６は、バッファに書き込みができる（グラフィックプロセッサ２７またはビデオデコーダ２８のような）任意のコンポーネントによる、ディスプレイバッファへの書き込みアクセスに後続して、そのタイマーをトリガしてもよい。いったんタイマーが、５秒のような、規定された時間期間を経過すると、これは、表示コンテンツがこの時間期間の間変化しなかったことを示すことになるだろう。この時間期間の後、ディスプレイバッファへの書き込みアクセスが存在せず、表示コンテンツが変化しなかった場合に、調光ユニット２６は、発光型ディスプレイ２２のステータスを静的であるとして宣言または規定してもよく、本開示の調光技術を開始してもよい。その後、ディスプレイバッファへの任意の書き込みアクセスが起こる場合には、静的モードはこの書き込みアクセスにより終了されてもよい。
【００６３】
静的モードが識別されない場合（“いいえ”８２）、調光ユニット２６は、任意の調光を実行せず、単に、オリジナル入力信号をディスプレイ制御装置２９に供給し、ディスプレイ制御装置２９は、オリジナル入力信号に基づいて、発光型ディスプレイ２２のアレイ２４内の発光型素子を駆動する（８６）。しかしながら、静的モードが識別される場合（“はい”８２）、調光ユニット２６は、入力信号の大きさに基づいて、調整された信号に入力信号をマッピングするように進行する（８３）。マッピングを規定するために、ここに記述したグラフのうちの任意のものを使用することが可能である。
【００６４】
調光ユニット２６は、調整された信号をディスプレイ制御装置２９に供給し（８４）、ディスプレイ制御装置２９は、調整された信号に基づいて、発光型ディスプレイ２２のアレイ２４内の素子を駆動する（８５）。この方法で、調光ユニット２６は、アレイ２４中の個々の素子の出力の個々の調整に基づいて、発光型ディスプレイ２２における調光を達成できる。調光ユニット２６、ディスプレイ制御装置２９および発光型ディスプレイ２２のうちの任意のものまたはすべては、データを一時的に記憶するディスプレイバッファを備えていてもよい。任意のケースでは、調光は、ブラックライト強度における低減のために、透過型ディスプレイにおいて起こる調光と視覚的に類似しているように見え、または、場合によっては、より優れているように見えるかもしれない。
【００６５】
図９は、発光型ディスプレイにおける調光を達成するために、調整された信号に入力信号をマッピングする例示的な技術を示しているフローダイヤグラムである。本開示にしたがって、調整された信号に入力信号をマッピングするための他の技術を使用することも可能である。図９は、図５中に示されている調光ユニット５１６と一致するマッピングアプローチを概説する。図９中に図示されているさまざまな信号は、典型的にデジタル値であるけれども、ビット幅は異なってもよい。
【００６６】
図９中で示されているように、２Ｄローパスフィルタ５２２は、入力グレーレベル信号ＸINPUTをフィルタリングして、入力に対する平均信号ＸAVEを生成する（９１）。ピクセル最大値検出ユニット５２４は、最大グレーレベル信号ＸMAXを検出し（９２）、ピクセル最小値検出ユニット５２６は、最小グレーレベル信号ＸMINを検出する（９３）。これらのＸMAX値およびＸMIN値を使用して、ピクセル領域検出ユニット５２８は、グレーレベル信号の動的領域ＸRANGEを検出する（９４）。調光制御ユニット５４０は、さまざまなプログラム可能なしきい値を使用して、特徴点の推定を制御し、プログラム可能なしきい値は、ピクセル特徴推定ユニット５３０中でプログラムされてもよい。したがって、ピクセル特徴推定ユニット５３０は、動的領域ＸRANGEを受信し、ピクセル特徴推定ユニット５３０は、動的領域ＸRANGEに基づいて、その動的領域ＸRANGE内で特徴点ＸSALIENCYを推定できる。調光制御ユニット５４０はまた、特徴点ＸSALIENCYを上回る、および、下回るスロープを規定してもよく（９６）、スロープを適用するように乗算器５４２を制御してもよい。その後、しきい値検出ユニット５３２および乗算器５４２は、グレーレベル調整を生成してもよく（９７）、グレーレベル調整は、ＸADJUSTMENTの増倍されたバージョンを含んでもよい。
【００６７】
ピクセル動的領域ＸRANGEおよびピクセル特徴点ＸSALIENCYに関して、直観的に、最大の画像動的領域は、鑑賞環境の周辺光に対する何らの補償も無い生ディスプレイパネルの輝度(brightness)として解釈されてもよい。多くの移動ハンドセットディスプレイは、およそ４００ニト（カンデラ毎平方メートル）（ｃｄ／ｍ２）の総輝度(full-brightness)を持つ、およそ１０００：１ＣＲのコントラスト比を提供してもよく、これは、表示データ中の１０〜１２ビット画像輝度（luminance）によりサポートすることができる。しかしながら、実際の動的領域はまた、パネルの輝度(brightness)に依存してもよく、画像特徴はまた、画像コンテンツに依存してもよい。例えば、総輝度(full-brightness)における、雪山の領域の画像は、画像解像度を最小化することなく、およそ１００ニトにおける特徴点を有していてもよい。それゆえ、画像の動的領域およびその特徴点は、本開示の技術を使用して、調光ユニット５１６または別のタイプのディスプレイプロセッサにより、プログラム可能および決定されるように提供される。
【００６８】
例えば、しきい値検出ユニット５３２は、ＸINPUTが１つ以上のしきい値を下回るか、または、上回るかを検出し、そのようなしきい値に関連するＸINPUTの値に基づいて、ＸADJUSTMENTを生成してもよい。ＸADJUSTMENTは、その後、乗算器５４２により、増倍されてもよく、増倍率は、ＸINPUTが特徴点ＸSALIENCYを上回るか、または、下回るかに依存して、異なってもよい。増倍された調整は、減算ユニット５４４により、入力グレーレベル信号ＸINPUTに適用されて、調整されたグレーレベル信号ＸOUTPUTを生成してもよい（９８）。この方法で、ディスプレイ制御装置５１８により受信され、発光型ディスプレイ５１２の発光型素子のアレイを駆動するために使用される信号は、調整されたグレーレベル信号ＸOUTPUTを含んでもよく、調整されたグレーレベル信号ＸOUTPUTは、入力グレーレベル信号ＸINPUTの大きさと、特徴点、ならびに、特徴点を上回るおよび下回る信号をマッピングするためのスロープを規定する、調光制御ユニット５４０により適用されるプログラム可能なしきい値のような、他のファクタとに基づいて、調整されている。
【００６９】
図１０は、発光型ディスプレイの出力をインクリメントにおよび連続的に調光する例示的な技術を示しているフローダイヤグラムである。図１０は、図８に類似しているが、連続的な静的モードを連続的に決定し、したがって、発光型ディスプレイの出力を連続的に調光するための追加のループを含む。図１０は、図２のビデオデバイス２０の観点から記述されるけれども、他のデバイスが技術を実現することも可能である。図１０中で示されているように、調光ユニット２６は、例えば、グラフィックプロセッサ２７またはビデオデコーダ２８から入力信号を受信する（１０１）。調光ユニット２６は、その後、新たな入力値がグラフィックプロセッサ２７もしくはビデオデコーダ２８から受信されるか、または、グラフィックプロセッサ２７もしくはビデオデコーダ２８が時間期間の間インアクティブであるか否かを決定することによって、静的モードを監視する（１０２）。
【００７０】
静的モードが識別されない場合（“いいえ”１０２）、調光ユニット２６は、任意の調光を実行せず、単に、オリジナル入力信号をディスプレイ制御装置２９に供給し、ディスプレイ制御装置２９は、オリジナル入力信号に基づいて、発光型ディスプレイ２２のアレイ２４内の発光型素子を駆動する（１０８）。しかしながら、静的モードが識別される場合（“はい”１０２）、調光ユニット２６は、入力信号の大きさに基づいて、調整された信号に入力信号をマッピングするように進行する（１０３）。マッピングを規定するために、ここに記述したグラフのうちの任意のものを使用することが可能である。
【００７１】
調光ユニット２６は、調整された信号をディスプレイ制御装置２９に供給し（１０４）、ディスプレイ制御装置２９は、調整された信号に基づいて、発光型ディスプレイ２２のアレイ２４内の素子を駆動する（１０５）。この方法で、調光ユニット２６は、アレイ２４中の個々の素子の出力の個々の調整に基づいて、発光型ディスプレイ２２における調光を達成できる。
【００７２】
図１０にしたがって、いったん第１の静的モードが識別されると、調光ユニット２６は、静的モードをインクリメントさせてもよく（１０６）、その後、インクリメントされた静的モードを監視してもよい（１０７）。各連続的な静的モードの検出（“はい”（１０７））とともに、調光ユニット２６は、入力信号の大きさに基づいて、調整された信号に入力信号を再マッピングし（１０３）、調整された信号をディスプレイ制御装置２９に供給してもよい（１０４）。ディスプレイ制御装置２９は、その後、調整された信号に基づいて、発光型ディスプレイ２２のアレイ２４内の素子を駆動する（１０５）。この方法で、調光ユニット２６は、アレイ２４中の個々の素子の出力の個々の調整に基づいて、発光型ディスプレイ２２における段階的な調光を達成できる。
【００７３】
調光の段階的ステージは、調光のレベルに関して、ますますアグレッシブになってもよい。図６Ａは１つの例を提供し、ここで、線６０２、６０３、６０４および６０４は、調光のレベルに関して、段階的によりアグレッシブになる線形マッピングを提供する。図６Ｂは、別の例を提供し、ここで、各特徴点（６１２、６１４、６１６および６１８）と一緒に、各線（６１３、６１５、６１７および６１９）および線６１１は、調光のレベルに関して、段階的によりアグレッシブになる非線形マッピングを提供する。加えて、上記で説明したように、図７Ａ〜７Ｆはさらに別の例を図示し、ここで、各それぞれのグラフは、調光のレベルに関して、段階的によりアグレッシブになる非線形マッピングを提供する。これらのまたは他のタイプのマッピングは、本開示と矛盾せずに使用することが可能である。
【００７４】
本開示の技術は、移動体電話機、集積回路（ＩＣ）またはＩＣのセット（つまり、チップセット）のような、ワイヤレス通信デバイスハンドセットを含む、幅広いさまざまなデバイスまたは装置において実現されてもよい。機能的な態様を強調するために提供された任意のコンポーネント、モジュールまたはユニットを記述しているが、必ずしも異なるハードウェアユニットによる実現を必要とするわけではない。ここに記述した技術はまた、ハードウェアで、ソフトウェアで、ファームウェアで、または、これら任意の組み合わせで実現されてもよい。モジュール、ユニットまたはコンポーネントとして記述した任意の機能は、集積論理デバイス中で一緒に実現されてもよく、または、別個ではあるが相互運用可能な論理デバイスとして、別々に実現されてもよい。いくつかのケースでは、さまざまな機能は、集積回路チップまたはチップセットのような集積回路デバイスとして、実現されてもよい。
【００７５】
技術は、ソフトウェアで実現される場合に、プロセッサにおいて実行されるときに、上述した方法のうちの１つ以上のものを実行させる命令を含むコンピュータ読取可能媒体により、少なくとも部分的に実現されてもよい。コンピュータ読取可能媒体は、コンピュータ読取可能記憶媒体を含めてもよく、パッケージングマテリアルを含んでもよい、コンピュータプログラムプロダクトの一部を形成してもよい。コンピュータ読取可能記憶媒体は、同期動的ランダムアクセスメモリ（ＳＤＲＡＭ（登録商標））のようなランダムアクセスメモリ（ＲＡＭ）、リードオンリーメモリ（ＲＯＭ）、非揮発性ランダムアクセスメモリ（ＮＶＲＡＭ）、電気消去可能プログラマブルリードオンリーメモリ（ＥＥＰＲＯＭ）、ＦＬＡＳＨメモリ、磁気的または光学データ記憶媒体およびこれらに類するものを含めてもよい。技術は、追加として、または、代替的に、コンピュータによってアクセス、読み込み、および／または、実行できる、命令またはデータ構造の形態で、コードを伝送または通信するコンピュータ読取可能通信媒体により、少なくとも部分的に実現されてもよい。
【００７６】
命令は、１つ以上のデジタル信号プロセッサ（ＤＳＰ）、汎用マイクロプロセッサ、特定用途向け集積回路（ＡＳＩＣ）、フィールドプログラマブル論理アレイ（ＦＰＧＡ）、または、他の同等な集積または離散論理回路のような、１つ以上のプロセッサにより実行されてもよい。したがって、ここで使用する“プロセッサ”という用語は、前述した構造のうちの任意のもの、または、ここで記述した技術の実現に対して適切な他の何らかの構造のことを指してもよい。加えて、いくつかの態様では、ここで記述した機能性は、エンコーディングおよびデコーディングのために構成されている専用のソフトウェアモジュールまたはハードウェアモジュール内で提供されてもよく、あるいは、組み合わせられたビデオコーデック中に組み込まれていてもよい。また、技術は、１つ以上の回路または論理エレメント中で完全に実現することが可能である。
【００７７】
本開示はまたは、本開示中で記述した技術のうちの１つ以上のものを実現する回路を含む、さまざまな集積回路デバイスのうちの何らかのものについて考える。このような回路は、単一の集積回路チップ中で、または、いわゆるチップセット中の複数の相互運用可能な集積回路チップ中で提供されてもよい。このような集積回路デバイスは、さまざまなアプリケーション中で使用されてもよく、さまざまなアプリケーションのうちのいくつかのものは、移動体電話機ハンドセット中の、ワイヤレス通信デバイス中での使用を含んでもよい。
【００７８】
本開示中には、さまざまな例が記述されている。これらのおよび他の例は、以下の特許請求の範囲の範囲内である。
以下に、本願出願時の特許請求の範囲に記載された発明を付記する。
［１］方法において、
発光型ディスプレイにおける静的モードを検出することと、
入力信号の大きさに基づいて、前記発光型ディスプレイの複数の発光型素子に対して調整された信号に前記入力信号をマッピングすることと、
前記静的モードを検出することに応答して、前記複数の発光型素子の出力を選択的に調光するために、前記調整された信号を適用することとを含む方法。
［２］前記静的モードを検出することは、ある時間期間の間に前記入力信号が変化しなかったことを検出することを含む［１］記載の方法。
［３］前記静的モードを検出することは、グラフィックプロセッサが、前記時間期間の間に何も新たな入力信号を生成しなかったことを識別することを含む［１］記載の方法。
［４］前記静的モードを検出することは、ビデオデコーダが、前記時間期間の間に何も新たな入力信号を生成しなかったことを識別することを含む［１］記載の方法。
［５］前記静的モードを検出することは、ビデオデコーダおよびグラフィックプロセッサが前記時間期間の間に何も新たな入力信号を有していないことを識別することを含む［１］記載の方法。
［６］前記複数の発光型素子に対して調整された信号に前記入力信号をマッピングすることは、前記調整された信号に前記入力信号の非線形マッピングを適用することを含む［１］記載の方法。
［７］前記複数の発光型素子に対して調整された信号に前記入力信号をマッピングすることは、前記入力信号を前記調整された信号にマッピングするために、複数のしきい値を適用することを含む［１］記載の方法。
［８］前記複数のしきい値を適用することは、
より低いしきい値Ｔ１を適用し、しきい値Ｔ１を下回る入力信号は、０の調整された信号にマッピングされることと、
第１のしきい値範囲Ｔ１〜Ｔ２を適用し、Ｔ１〜Ｔ２の間の入力信号は、第１のマッピングに基づいて、第１の調整された信号にマッピングされることと、
第２のしきい値範囲Ｔ２〜Ｔ３を適用し、Ｔ２〜Ｔ３の間の入力信号は、第２のマッピングに基づいて、第２の調整された信号にマッピングされ、前記第２のマッピングは前記第１のマッピングとは異なることとを含む［１］記載の方法。
［９］前記第１のマッピングは、第１の線形スロープを規定する第１の線形マッピングを含み、前記第２のマッピングは、前記第１の線形マッピングの前記第１の線形スロープとは異なる第２の線形スロープを規定する第２の線形マッピングを含む［８］記載の方法。
［１０］Ｔ１、Ｔ２、Ｔ３、前記第１の線形スロープおよび前記第２の線形スロープは、プログラム可能な変数である［９］記載の方法。
［１１］前記発光型ディスプレイの前記静的モードを検出することに応答して、前記発光型ディスプレイの通常動作モードから前記発光型ディスプレイの調光モードに変更させることをさらに含み、前記通常動作モードでは、前記入力信号は前記複数の発光型素子を駆動するために適用され、前記調光モードでは、前記入力信号は前記調整された信号にマッピングされ、前記調整された信号は前記複数の発光型素子に対して駆動するために適用される［１］記載の方法。
［１２］前記静的モードは第１の静的モードを含み、前記調整された信号は第１の調整された信号を含み、
前記方法は、
前記発光型ディスプレイにおける第２の静的モードを検出することと、
前記入力信号の大きさに基づいて、前記発光型ディスプレイの前記複数の発光型素子に対して第２の調整された信号に前記入力信号を再マッピングすることと、
前記第２の静的モードを検出することに応答して、前記複数の発光型素子の出力を選択的に調光するために、前記第２の調整された信号を適用することとをさらに含む［１］記載の方法。
［１３］装置において、
複数の発光型素子を含む発光型ディスプレイと、
前記複数の発光型素子を駆動するディスプレイ制御装置と、
調光ユニットとを具備し、
前記調光ユニットは、
前記発光型ディスプレイにおける静的モードを検出し、
入力信号の大きさに基づいて、前記発光型ディスプレイの前記複数の発光型素子に対して調整された信号に前記入力信号をマッピングし、
前記ディスプレイ制御装置は、前記静的モードの検出に応答して、前記複数の発光型素子の出力を選択的に調光するために、前記調整された信号を適用する装置。
［１４］前記静的モードを検出するときに、前記調光ユニットは、ある時間期間の間に前記入力信号が変化しなかったことを検出する［１３］記載の装置。
［１５］前記装置は、前記入力信号を生成するグラフィックプロセッサをさらに具備し、
前記静的モードを検出するときに、前記調光ユニットは、前記グラフィックプロセッサが、前記時間期間の間に何も新たな入力信号を生成しなかったことを識別する［１３］記載の装置。
［１６］前記装置は、前記入力信号を生成するビデオデコーダをさらに具備し、
前記静的モードを検出するときに、前記調光ユニットは、前記ビデオデコーダが、前記時間期間の間に何も新たな入力信号を生成しなかったことを識別する［１３］記載の装置。
［１７］前記装置は、前記入力信号を生成するグラフィックプロセッサおよびビデオデコーダをさらに具備し、
前記静的モードを検出するときに、前記調光ユニットは、前記ビデオデコーダおよび前記グラフィックプロセッサが前記時間期間の間に何も新たな入力信号を生成しなかったことを識別する［１３］記載の装置。
［１８］前記調光ユニットは、前記入力信号を前記調整された信号にマッピングするために非線形マッピングを適用する［１３］記載の装置。
［１９］前記複数の発光型素子に対して調整された信号に前記入力信号をマッピングするときに、前記調光ユニットは、複数のしきい値を適用する［１３］記載の装置。
［２０］前記複数のしきい値を適用するときに、前記調光ユニットは、
より低いしきい値Ｔ１を適用し、しきい値Ｔ１を下回る前記入力信号は、０の調整された信号にマッピングされ、
第１のしきい値範囲Ｔ１〜Ｔ２を適用し、Ｔ１〜Ｔ２の間の前記入力信号は、第１のマッピングに基づいて、第１の調整された信号にマッピングされ、
第２のしきい値範囲Ｔ２〜Ｔ３を適用し、Ｔ２〜Ｔ３の間の前記入力信号は、第２のマッピングに基づいて、第２の調整された信号にマッピングされ、前記第２のマッピングは前記第１のマッピングとは異なる［１９］記載の装置。
［２１］前記第１のマッピングは、第１の線形スロープを規定する第１の線形マッピングを含み、前記第２のマッピングは、前記第１の線形マッピングの前記第１の線形スロープとは異なる第２の線形スロープを規定する第２の線形マッピングを含む［２０］記載の装置。
［２２］Ｔ１、Ｔ２、Ｔ３、前記第１の線形スロープおよび前記第２の線形スロープは、プログラム可能な変数である［２１］記載の装置。
［２３］前記調光ユニットは、前記発光型ディスプレイの前記静的モードを検出することに応答して、前記発光型ディスプレイを前記発光型ディスプレイの通常動作モードから前記発光型ディスプレイの調光モードに変更し、前記通常動作モードでは、前記入力信号は前記複数の発光型素子を駆動するために適用され、前記調光モードでは、前記入力信号は前記調整された信号にマッピングされ、前記調整された信号は前記複数の発光型素子に対して駆動するために適用される［１３］記載の装置。
［２４］前記静的モードは第１の静的モードを含み、前記調整された信号は第１の調整された信号を含み、
前記調光ユニットは、
前記発光型ディスプレイにおける第２の静的モードを検出し、
前記入力信号の大きさに基づいて、前記発光型ディスプレイの前記複数の発光型素子に対して第２の調整された信号に前記入力信号を再マッピングし、
前記ディスプレイ制御装置は、前記第２の静的モードの検出に応答して、前記複数の発光型素子の出力を選択的に調光するために、前記第２の調整された信号を適用する［１３］記載の装置。
［２５］前記調光ユニットは、集積回路およびマイクロプロセッサのうちの１つを備える［１３］記載の装置。
［２６］前記装置は、前記発光型ディスプレイを備えるハンドヘルドデバイスを含む［１３］記載の装置。
［２７］デバイスにおいて、
発光型ディスプレイにおける静的モードを検出する手段と、
入力信号の大きさに基づいて、前記発光型ディスプレイの複数の発光型素子に対して調整された信号に前記入力信号をマッピングする手段と、
前記静的モードを検出することに応答して、前記複数の発光型素子の出力を選択的に調光するために、前記調整された信号を適用する手段とを具備するデバイス。
［２８］前記静的モードを検出する手段は、ある時間期間の間に前記入力信号が変化しなかったことを検出する手段を備える［２７］記載のデバイス。
［２９］前記静的モードを検出する手段は、グラフィックプロセッサが、前記時間期間の間に何も新たな入力信号を生成しなかったことを識別する手段を備える［２７］記載のデバイス。
［３０］前記静的モードを検出する手段は、ビデオデコーダが、前記時間期間の間に何も新たな入力信号を生成しなかったことを識別する手段を備える［２７］記載のデバイス。
［３１］前記静的モードを検出する手段は、ビデオデコーダおよびグラフィックプロセッサが前記時間期間の間に何も新たな入力信号を生成しなかったことを識別する手段を備える［２７］記載のデバイス。
［３２］前記複数の発光型素子に対して調整された信号に前記入力信号をマッピングする手段は、非線形マッピングを適用する手段を備える［２７］記載のデバイス。
［３３］前記複数の発光型素子に対して調整された信号に前記入力信号をマッピングする手段は、前記入力信号を前記調整された信号にマッピングするために、複数のしきい値を適用する手段を備える［２７］記載のデバイス。
［３４］前記複数のしきい値を適用する手段は、
より低いしきい値Ｔ１を適用し、しきい値Ｔ１を下回る前記入力信号は、０の調整された信号にマッピングされる手段と、
第１のしきい値範囲Ｔ１〜Ｔ２を適用し、Ｔ１〜Ｔ２の間の前記入力信号は、第１のマッピングに基づいて、第１の調整された信号にマッピングされる手段と、
第２のしきい値範囲Ｔ２〜Ｔ３を適用し、Ｔ２〜Ｔ３の間の前記入力信号は、第２のマッピングに基づいて、第２の調整された信号にマッピングされ、前記第２のマッピングは前記第１のマッピングとは異なる手段とを備える［３３］記載のデバイス。
［３５］前記第１のマッピングは、第１の線形スロープを規定する第１の線形マッピングを含み、前記第２のマッピングは、前記第１の線形マッピングの前記第１の線形スロープとは異なる第２の線形スロープを規定する第２の線形マッピングを含む［３４］記載のデバイス。
［３６］Ｔ１、Ｔ２、Ｔ３、前記第１の線形スロープおよび前記第２の線形スロープは、プログラム可能な変数である［３５］記載のデバイス。
［３７］前記デバイスは、前記発光型ディスプレイの前記静的モードを検出することに応答して、前記発光型ディスプレイの通常動作モードから前記発光型ディスプレイの調光モードに変更させる手段をさらに具備し、前記通常動作モードでは、前記入力信号は前記複数の発光型素子を駆動するために適用され、前記調光モードでは、前記入力信号は前記調整された信号にマッピングされ、前記調整された信号は前記複数の発光型素子に対して駆動するために適用される［２７］記載のデバイス。
［３８］前記静的モードは第１の静的モードを含み、前記調整された信号は第１の調整された信号を含み、
前記デバイスは、
前記発光型ディスプレイにおける第２の静的モードを検出する手段と、
前記入力信号の大きさに基づいて、前記発光型ディスプレイの前記複数の発光型素子に対して第２の調整された信号に前記入力信号を再マッピングする手段と、
前記第２の静的モードを検出することに応答して、前記複数の発光型素子の出力を選択的に調光するために、前記第２の調整された信号を適用する手段とをさらに具備する［２７］記載のデバイス。
［３９］命令を含むコンピュータ読取可能記憶媒体において、
前記命令は、プロセッサによる実行の際に、
発光型ディスプレイにおける静的モードを前記プロセッサに検出させ、
入力信号の大きさに基づいて、前記発光型ディスプレイの前記複数の発光型素子に対して調整された信号に前記入力信号を前記プロセッサにマッピングさせ、
前記静的モードを検出することに応答して、前記複数の発光型素子の出力を選択的に調光するために、前記調整された信号を前記プロセッサに適用させるコンピュータ読取可能記憶媒体。
［４０］前記静的モードを検出するときに、前記命令は、ある時間期間の間に前記入力信号が変化しなかったことを前記プロセッサに検出させる［３９］記載のコンピュータ読取可能記憶媒体。
［４１］前記静的モードを検出するときに、前記命令は、グラフィックプロセッサが、前記時間期間の間に何も新たな入力信号を生成しなかったことを前記プロセッサに識別させる［３９］記載のコンピュータ読取可能記憶媒体。
［４２］前記静的モードを検出するときに、前記命令は、ビデオデコーダが、前記時間期間の間に何も新たな入力信号を生成しなかったことを前記プロセッサに識別させる［３９］記載のコンピュータ読取可能記憶媒体。
［４３］前記静的モードを検出するときに、前記命令は、ビデオデコーダおよびグラフィックプロセッサが前記時間期間の間に何も新たな入力信号を生成しなかったことを前記プロセッサに識別させる［３９］記載のコンピュータ読取可能記憶媒体。
［４４］前記複数の発光型素子に対して調整された信号に前記入力信号をマッピングするときに、前記命令は、非線形マッピングを前記プロセッサに適用させる［３９］記載のコンピュータ読取可能記憶媒体。
［４５］前記複数の発光型素子に対して調整された信号に前記入力信号をマッピングするときに、前記命令は、前記入力信号を前記調整された信号にマッピングするために、複数のしきい値を前記プロセッサに適用させる［３９］記載のコンピュータ読取可能記憶媒体。
［４６］前記複数のしきい値を適用するときに、前記命令は、
より低いしきい値Ｔ１を前記プロセッサに適用させ、しきい値Ｔ１を下回る前記入力信号は、０の調整された信号にマッピングされ、
第１のしきい値範囲Ｔ１〜Ｔ２を前記プロセッサに適用させ、Ｔ１〜Ｔ２の間の前記入力信号は、第１のマッピングに基づいて、第１の調整された信号にマッピングされ、
第２のしきい値範囲Ｔ２〜Ｔ３を前記プロセッサに適用させ、Ｔ２〜Ｔ３の間の前記入力信号は、第２のマッピングに基づいて、第２の調整された信号にマッピングされ、前記第２のマッピングは前記第１のマッピングとは異なる［４５］記載のコンピュータ読取可能記憶媒体。
［４７］前記第１のマッピングは、第１の線形スロープを規定する第１の線形マッピングを含み、前記第２のマッピングは、前記第１の線形マッピングの前記第１の線形スロープとは異なる第２の線形スロープを規定する第２の線形マッピングを含む［４６］記載のコンピュータ読取可能記憶媒体。
［４８］Ｔ１、Ｔ２、Ｔ３、前記第１の線形スロープおよび前記第２の線形スロープは、プログラム可能な変数である［４７］記載のコンピュータ読取可能記憶媒体。
［４９］前記発光型ディスプレイの前記静的モードを検出することに応答して、前記発光型ディスプレイの通常動作モードから前記発光型ディスプレイの調光モードに前記プロセッサに変更させる命令をさらに含み、前記通常動作モードでは、前記入力信号は前記複数の発光型素子を駆動するために適用され、前記調光モードでは、前記入力信号は前記調整された信号にマッピングされ、前記調整された信号は前記複数の発光型素子に対して駆動するために適用される［３９］記載のコンピュータ読取可能記憶媒体。
［５０］前記静的モードは第１の静的モードを含み、前記調整された信号は第１の調整された信号を含み、
前記コンピュータ読取可能記憶媒体は、
前記発光型ディスプレイにおける第２の静的モードを前記プロセッサに検出させる命令と、
前記入力信号の大きさに基づいて、前記発光型ディスプレイの前記複数の発光型素子に対して第２の調整された信号に前記入力信号を前記プロセッサに再マッピングさせる命令と、
前記第２の静的モードを検出することに応答して、前記複数の発光型素子の出力を選択的に調光するために、前記第２の調整された信号を前記プロセッサに適用させる命令とをさらに含む［３９］記載のコンピュータ読取可能記憶媒体。
【図１】
0005944392.tif 000002
【図２】
0005944392.tif 000003
【図３】
0005944392.tif 000004
【図４】
0005944392.tif 000005
【図５】
0005944392.tif 000006
【図６Ａ】
0005944392.tif 000007
【図６Ｂ】
0005944392.tif 000008
【図７Ａ】
0005944392.tif 000009
【図７Ｂ】
0005944392.tif 000010
【図７Ｃ】
0005944392.tif 000011
【図７Ｄ】
0005944392.tif 000012
【図７Ｅ】
0005944392.tif 000013
【図７Ｆ】
0005944392.tif 000014
【図８】
0005944392.tif 000015
【図９】
0005944392.tif 000016
【図１０】
0005944392.tif 000017